(57)【要約】【課題】保存装置のサーボトラック形成方法を提供する。【解決手段】  サーボトラック形成方法は、第１領域及び第２領域の少なくとも２つの領域を含むディスクの一面に第１磁化方向を有する磁気層を形成する段階と、基板の一面に相異なる幅を有する多数の磁気パターンを形成する段階と、ディスクの一面と基板の一面とが対応するように配され、基板の他面から基板に垂直な方向に磁場を印加する段階と、磁場に応答して、多数の磁気パターンに対応する磁気層の第１磁化方向を第２磁化方向に変更する段階と、を含む。 【選択図】図１
2010040166.tif 000002
【特許請求の範囲】
【請求項１】
第１領域及び第２領域の少なくとも２つの領域を含むディスクの一面に第１磁化方向を有する磁気層を形成する段階と、
基板の一面に相異なる幅を有する多数の磁気パターンを形成する段階と、
前記ディスクの一面と前記基板の一面とが対応するように配され、前記基板の他面から前記基板に垂直な方向に磁場を印加する段階と、
前記磁場に応答して、前記多数の磁気パターンに対応する前記磁気層の前記第１磁化方向を第２磁化方向に変更する段階と、
を含むことを特徴とする、保存装置のサーボトラック形成方法。
【請求項２】
基板の一面に相異なる幅を有する多数の磁気パターンを形成する段階は、
前記基板の前記一面に磁気物質を所定の厚さに形成する段階と、
前記磁気物質をパターニングして相異なる幅を有する少なくとも一つの第１磁気パターンと第２磁気パターンとをそれぞれ形成する段階と、を含み、
前記第１磁気パターンの幅は、前記第２磁気パターンの幅の１／Ｎ（Ｎは、２以上の整数）倍に形成されることを特徴とする、請求項１に記載の保存装置のサーボトラック形成方法。
【請求項３】
前記ディスクの一面と前記基板の一面とが対応するように配され、前記基板の他面から前記基板に垂直な方向に磁場を印加する段階は、
前記基板の前記第１磁気パターンを前記ディスクの第１領域に対応させ、前記基板の前記第２磁気パターンを前記ディスクの第２領域に対応させる段階であることを特徴とする、請求項２に記載の保存装置のサーボトラック形成方法。
【請求項４】
前記磁場に応答して、前記多数の磁気パターンに対応する前記磁気層の前記第１磁化方向を第２磁化方向に変更する段階は、
前記磁場が、前記第１磁気パターンと前記第２磁気パターンとを通じて前記磁気層に提供させて、前記磁気層の前記第１磁化方向を実質的に逆方向である前記第２磁化方向に変更する段階であることを特徴とする、請求項３に記載の保存装置のサーボトラック形成方法。
【請求項５】
前記ディスクの一面と前記基板の一面とが対応するように配され、前記基板の他面から前記基板に垂直な方向に磁場を印加する段階は、
前記基板の他面から前記磁気層の前記第１磁化方向と実質的に逆方向を有する前記磁場を垂直な方向に印加する段階であることを特徴とする、請求項２に記載の保存装置のサーボトラック形成方法。
【請求項６】
前記磁場に応答して、前記多数の磁気パターンに対応する前記磁気層の第１磁化方向を第２磁化方向に変更する段階後に、
前記ディスクの前記第１領域から第１信号を抽出する段階と、
前記ディスクの前記第２領域から第２信号を抽出する段階と、
抽出された前記第１信号または前記第２信号をフィルタリングする段階と、
をさらに含むことを特徴とする、請求項１に記載の保存装置のサーボトラック形成方法。
【請求項７】
前記第１信号の周期は、
前記第２信号の周期の１／Ｍ（Ｍは、自然数）倍であることを特徴とする、請求項６に記載の保存装置のサーボトラック形成方法。
【請求項８】
抽出された前記第１信号または前記第２信号をフィルタリングする段階は、
前記第１信号を除去する段階であることを特徴とする、請求項６に記載の保存装置のサーボトラック形成方法。
【請求項９】
第１領域と第２領域とが定義されたディスクの一面に第１磁化方向を有する磁気層を形成する段階は、
前記ディスクの前記一面に多数の単位磁気層を含む前記磁気層を形成する段階と、
前記磁気層の前記多数の単位磁気層のそれぞれが、前記第１磁化方向を有するように前記ディスクの前記一面または他面で第１方向の磁場を提供する段階と、
を含むことを特徴とする、請求項１に記載の保存装置のサーボトラック形成方法。
【請求項１０】
データ保存領域とサーボトラック領域とを含む保存部と、
前記保存部に接続されて信号を抽出するヘッドと、
前記ヘッドから抽出された前記信号をフィルタリングするフィルターと、
前記保存部と前記ヘッドの動作を制御するコントローラと、を含み、
前記保存部の前記サーボトラック領域は、
第１領域及び第２領域の少なくとも２つの領域を含むディスクの一面に第１磁化方向を有する磁気層を形成する段階と、
基板の一面に相異なる幅を有する多数の磁気パターンを形成する段階と、
前記ディスクの一面と前記基板の一面とが対応するように配され、前記基板の他面から前記基板に垂直な方向に磁場を印加する段階と、
前記磁場に応答して、前記多数の磁気パターンに対応する前記磁気層の第１磁化方向を第２磁化方向に変更する段階と、
を含んで形成されることを特徴とする、データ保存装置。
【請求項１１】
バスを通じてデータが入／出力されるデータ保存装置と、
前記データ保存装置の動作を制御するＣＰＵと、
外部と接続されて、前記外部から前記データを提供されて前記データ保存装置に伝送するか、または前記データ保存装置から前記データを前記外部に伝送するインターフェースと、を含み、
前記データ保存装置は、
データ保存領域とサーボトラック領域とを含む保存部と、
前記保存部に接続されて信号を抽出するヘッドと、
前記ヘッドから抽出された前記信号をフィルタリングするフィルターと、
前記保存部と前記ヘッドの動作を制御するコントローラと、を含み、
前記保存部の前記サーボトラック領域は、
第１領域及び第２領域の少なくとも２つの領域を含むディスクの一面に第１磁化方向を有する磁気層を形成する段階と、
基板の一面に相異なる幅を有する多数の磁気パターンを形成する段階と、
前記ディスクの一面と前記基板の一面とが対応するように配され、前記基板の他面から前記基板に垂直な方向に磁場を印加する段階と、
前記磁場に応答して、前記多数の磁気パターンに対応する前記磁気層の第１磁化方向を第２磁化方向に変更する段階と、
を含んで形成されることを特徴とするデータ保存システム。
【発明の詳細な説明】
【技術分野】
【０００１】
本発明の実施形態は、保存装置に係り、より詳細には、保存装置のサーボトラック（ｓｅｒｖｏ  ｔｒａｃｋ）形成方法と、前記方法によって形成されたサーボトラックを有するデータ保存装置とに関する。
【背景技術】
【０００２】
一般的に、ハードディスクドライブ（Ｈａｒｄ  Ｄｉｓｋ  Ｄｒｉｖｅ；ＨＤＤ）は、ディスク形態の磁気記録媒体を回転させながら、その上に読み取り／書き込みヘッドを浮上させて情報を読出し／書込むデータ装置である。高い記録密度を有するＨＤＤを作るためには、高い記録密度のサーボトラックを形成することは必須な事項である。従来のＨＤＤでのサーボトラックを形成するためのサーボライティング（Ｓｅｒｖｏ  Ｗｒｉｔｉｎｇ）技術は、物理的な限界がある。したがって、３００ｋＴＰＩ以上の記録密度を有するサーボトラックを形成することが不可能であった。
【０００３】
最近、ＨＤＤでマグネチックプリンティング（Ｍａｇｎｅｔｉｃ  ｐｒｉｎｔｉｎｇ）方法を用いてサーボトラックを形成する技術が提示された。マグネチックプリンティング方法は、サーボトラックを含む保存装置のディスクの上面に磁気物質を塗布して磁化方向に沿ってデータを保存することができる方法である。
【発明の概要】
【発明が解決しようとする課題】
【０００４】
しかし、マグネチックプリンティング方法を用いてサーボトラックを形成しても、サーボトラックの無信号区間、例えば、バッファ区間でノイズが発生することがある。このようなノイズは、データ信号にＤＣオフセット（ｏｆｆｓｅｔ）を与えてデータ信号の品質及び保存装置の誤動作を発生させる。
【０００５】
そこで、本発明の目的とするところは、上記問題に鑑みてなされたものであり、ＤＣノイズを除去することができる保存装置のサーボトラック形成方法を提供することにある。
【０００６】
本発明が解決しようとする他の課題は、前記サーボトラック形成方法を用いて製造された保存装置及びシステムを提供することにある。
【課題を解決するための手段】
【０００７】
上記課題を解決するために、本発明のある観点によれば、第１領域と第２領域とが定義されたディスクの一面に第１磁化方向を有する磁気層を形成する段階と、基板の一面に相異なる幅を有する多数の磁気パターンを形成する段階と、前記ディスクの一面と前記基板の一面とが対応するように配され、前記基板の他面から前記基板に垂直な方向に磁場を印加する段階と、前記磁場に応答して、前記多数の磁気パターンに対応する前記磁気層の前記第１磁化方向を第２磁化方向に変更する段階と、を含む、サーボトラック形成方法が提供される。
【０００８】
また、上記課題を解決するために、本発明の別の観点によれば、データ保存領域とサーボトラック領域とを含む保存部と、前記保存部に接続されて信号を抽出するヘッドと、前記ヘッドから抽出された前記信号をフィルタリングするフィルターと、前記保存部と前記ヘッドの動作を制御するコントローラと、を含む、データ保存装置が提供される。
【０００９】
前記保存部の前記サーボトラック領域は、第１領域と第２領域とが定義されたディスクの一面に第１磁化方向を有する磁気層を形成する段階と、基板の一面に相異なる幅を有する多数の磁気パターンを形成する段階と、前記ディスクの一面と前記基板の一面とが対応するように配され、前記基板の他面から前記基板に垂直な方向に磁場を印加する段階と、前記磁場に応答して、前記多数の磁気パターンに対応する前記磁気層の第１磁化方向を第２磁化方向に変更する段階と、を含んで形成される。
【００１０】
また、上記課題を解決するために、本発明の別の観点によれば、バスを通じてデータが入／出力されるデータ保存装置と、前記データ保存装置の動作を制御するＣＰＵと、外部と接続されて、前記外部から前記データを提供されて前記データ保存装置に伝送するか、または前記データ保存装置から前記データを前記外部に伝送するインターフェースと、を含む、データ保存システムが提供される。
【発明の効果】
【００１１】
以上説明したように本発明によれば、保存装置のサーボトラック領域にノイズを発生させると予想される部分、すなわち、無信号区間にあらかじめ異なる周波数の信号が抽出されるように磁化方向を形成して抽出された信号をフィルタリングすることによって、サーボトラック領域の保存領域でノイズが除去された信号を抽出することができるようになり、これにより、ノイズによる保存装置の誤動作を防止することができる。
【図面の簡単な説明】
【００１２】
【図１】本発明の一実施形態に係るサーボトラック形成方法のフローチャートである。
【図２】同実施形態に係るサーボトラック形成方法による工程図である。
【図３】同実施形態に係るサーボトラック形成方法による工程図である。
【図４】同実施形態に係るサーボトラック形成方法による工程図である。
【図５】同実施形態に係るサーボトラック形成方法による工程図である。
【図６】同実施形態に係るサーボトラック形成方法による工程図である。
【図７】図１〜図６を通じて形成されたデータ保存装置の概略的なブロック図である。
【図８】図７に示されたデータ保存装置を含むデータ保存システムの概略的なブロック図である。
【発明を実施するための形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
図１は、本発明の一実施形態によるサーボトラック形成方法のフローチャートであり、図２ないし図６は、図１に示されたサーボトラック形成方法による工程図である。
【００１５】
本発明の実施形態による保存装置は、少なくとも一つのディスクを含みうる。それぞれのディスクは、少なくとも一つのデータ領域とサーボトラック領域とを含みうる。データ領域は、外部から提供されたデータが保存されるか、またはデータ領域に保存されたデータを外部に伝送することができる。サーボトラック領域には、データ領域の情報、例えば、プリアンブル情報、アドレス情報、セクター情報、トラック情報またはバースト情報のうちから少なくとも一つを保存することができる。サーボトラック領域は、前記の情報が保存される第２領域、すなわち、情報保存領域と、情報保存領域の前／後に形成された第１領域、すなわち、バッファ領域とを含みうる。
【００１６】
まず、図１及び図２を参照すれば、本発明の実施形態による保存装置のサーボトラック形成方法は、保存装置のディスクに磁気層を形成する段階（Ｓ１０）を含みうる。保存装置１０のサーボトラック領域は、少なくとも２個の領域を含みうる。例えば、サーボトラック領域は、第１領域１５と第２領域１６とを含みうる。第１領域１５は、サーボトラック領域の無信号区間、すなわち、バッファの役割を行うバッファ領域であり、第２領域１６は、サーボトラック領域の情報保存区間、すなわち、サーボトラック情報またはデータ情報が保存された情報保存領域であり得る。
【００１７】
前記第１領域１５と第２領域１６とを含むサーボトラック領域の上部、すなわち、ディスク１１の一面に所定の厚さに磁気層１２を形成しうる。例えば、磁気層１２は、ディスク１１の一面に磁気物質、例えば、外部から印加される磁場によって磁化方向が決定される磁気物質が塗布されて形成される。磁気物質は、プリンティング方式で塗布して形成しうるが、本発明は、これに制限されるものではない。磁気層１２は、所定の単位で多数個区分され、それぞれの区分された単位磁気層１３には、所定の方向に磁化方向が形成される。例えば、第１領域１５の磁気層１２は、少なくとも３個に区分された単位磁気層１３が形成される。それぞれの単位磁気層１３は、磁場の印加方向に沿って第１磁化方向１４に形成される。
【００１８】
多数の単位磁気層１３を含む磁気層１２は、磁場によって磁化方向が決定されることができる。例えば、ディスク１１の背面、すなわち、磁気層１２が形成されたディスク１１の一面に対応する背面から磁気層１２に向けて垂直な方向に磁場を印加することができる。これにより、磁気層１２の多数の単位磁気層１３は、印加される磁場の方向、例えば、第１磁化方向１４を有しうる。本実施形態では、一例として、ディスク１１の背面で磁場を印加して単位磁気層１３が第１磁化方向１４を形成する例をあげて説明するが、本発明は、これに制限されるものではない。すなわち、ディスク１１の前面から垂直な方向に磁場を印加して単位磁気層１３の磁化方向を形成する方法を使うこともできる。
【００１９】
図１及び図３を参照すれば、保存装置のサーボトラック形成方法は、基板の一面に少なくとも一つの磁気パターンを形成する段階（Ｓ２０）を含みうる。本実施形態では、前記図１及び図２を参照して説明された保存装置１０のディスク１１の磁気層１２に所定の情報を記録するためのライティング（ｗｒｉｔｉｎｇ）装置２０を形成しうる。ライティング装置２０は、ディスク１１の多数の単位磁気層１３に対応する多数の磁気パターン２３及び２４を含み、前記多数の磁気パターン２３及び２４は、基板２１、例えば、ウエーハなどの半導体基板に別途に形成される。
【００２０】
基板２１は、少なくとも２個の領域を含みうる、例えば、基板２１は、第１磁気パターン領域２５と第２磁気パターン領域２６とを含みうる。第１磁気パターン領域２５は、ディスク１１の第１領域１５に対応することができ、第２磁気パターン領域２６は、ディスク１１の第２領域１６に対応することができる。第１磁気パターン領域２５と第２磁気パターン領域２６とを含む基板２１の一面に磁気物質２２を所定の厚さに塗布することができる。磁気物質２２は、前述したように、外部から提供される磁場が通過することができる磁気物質で形成され、例えば、スピンコーティング法またはプリンティングコーティング法などで基板２１に塗布されることができる。
【００２１】
基板２１に塗布された磁気物質２２は、パターニングされる。例えば、磁気物質２２は、各領域、すなわち、第１磁気パターン領域２５と第２磁気パターン領域２６とでそれぞれ異なる幅を有する少なくとも一つの磁気パターン２３または２４を形成するようにパターニングされる。例えば、基板２１の第１磁気パターン領域２５の磁気物質２２は、パターニングされて第１幅ｄ１を有する少なくとも一つの第１磁気パターン２３を形成しうる。また、基板２１の第２磁気パターン領域２６の磁気物質２２は、パターニングされて第２幅ｄ２を有する少なくとも一つの第２磁気パターン２４を形成しうる。
【００２２】
ここで、少なくとも一つの第１磁気パターン２３の幅、すなわち、第１幅ｄ１は少なくとも一つの第２磁気パターン２４の幅、すなわち、第２幅ｄ２より小さく形成される。例えば、第１幅ｄ１は、第２幅ｄ２の１／Ｎ（ここで、Ｎは、２以上の整数）倍に形成される。少なくとも一つの第１磁気パターン２３と少なくとも一つの第２磁気パターン２４は、磁気物質２２の上部でマスクを利用した写真エッチングまたは湿式／乾式エッチングなどを用いて形成されるが、これに制限されるものではない。
【００２３】
図１及び図４を参照すれば、保存装置のサーボトラック形成方法は、ディスクと基板とが互いに対応するように配置させる段階（Ｓ３０）を含みうる。言い換えれば、ディスク１１の一面に形成された磁気層１２と基板２１の一面に形成された多数の磁気パターン２３及び２４とが互いに対向するように対応させることができる。この際、ディスク１１の第１領域１５に形成された多数の単位磁気層１３は、基板２１の第１磁気パターン領域２５に形成された少なくとも一つの第１磁気パターン２３とそれぞれ対応し、ディスク１１の第２領域１６に形成された多数の単位磁気層１３は、基板２１の第２磁気パターン領域２６に形成された少なくとも一つの第２磁気パターン２４にそれぞれ対応することができる。
【００２４】
引き続き、図１、図４及び図５を参照すれば、保存装置のサーボトラック形成方法は、基板の背面から垂直な方向に磁場を印加（Ｓ４１）し、磁気層の磁化方向を変更（Ｓ４３）させる段階（Ｓ４０）を含みうる。ディスク１１と基板２１とが互いに対応して配されれば、基板２１の背面、すなわち、多数の磁気パターン２３及び２４が形成された基板２１の一面に対応する背面から垂直な方向、例えば、多数の磁気パターン２３及び２４に向けて磁場を印加する。
【００２５】
磁場は、基板２１の多数の磁気パターン２３及び２４を通じて対応するディスク１１の多数の単位磁気層１３に印加されることができる。例えば、磁場は、ディスク１１の磁気層１２に形成された第１磁化方向１４と実質的に逆方向を有し、垂直に基板２１に印加されることができる。磁場は、多数の磁気パターン２３及び２４を通じて磁気層１２に提供されて多数の単位磁気層１３のそれぞれの磁化方向を変更させることができる。
【００２６】
例えば、基板２１の少なくとも一つの第１磁気パターン２３に対応するディスク１１の第１領域１５の単位磁気層１３は、第１磁化方向１４に形成されている。基板２１の背面で磁場が印加されれば、第１磁気パターン２３に対応する単位磁気層１３の第１磁化方向１４は、第１磁気パターン２３を通じて提供される磁場によって第１磁化方向１４と実質的に逆方向、例えば、第２磁化方向１７に変更されることができる。この際、第１磁気パターン２３は、第１領域１５の単位磁気層１３より小さなサイズであるために、第１磁気パターン２３が対応する単位磁気層１３の一領域１３ａは、第２磁化方向１７に形成され、単位磁気層１３の残りの領域１３ｂは、第１磁化方向１４を保持することができる。
【００２７】
また、基板２１の少なくとも一つの第２磁気パターン２４に対応するディスク１１の第２領域１６の単位磁気層１３は、第１磁化方向１４に形成されている。基板２１の背面で磁場が印加されれば、第２磁気パターン２４に対応する単位磁気層１３の第１磁化方向１４は、第２磁気パターン２４を通じて提供される磁場によって第１磁化方向１４と実質的に逆方向、例えば、第２磁化方向１７に変更されることができる。この際、第２磁気パターン２４は、第２領域１６の単位磁気層１３と実質的に同じサイズであり得る。
【００２８】
引き続き、図１、図５及び図６を参照すれば、保存装置のサーボトラック形成方法は、ディスクの磁気層から信号を抽出し（Ｓ５０）、これをフィルタリングする段階（Ｓ６０）を含みうる。前述した段階を通じてディスク１１の磁気層１２には、第１磁化方向１４と第２磁化方向１７とを有する多数の単位磁気層１３が形成される。このようなディスク１１の磁気層１２に信号を抽出することができる所定の装置、例えば、磁気層１２から情報をリーディングすることができるヘッド１５０を隣接させ、磁気層１２からデータ信号４０または５０を抽出することができる。
【００２９】
例えば、ディスク１１の第１領域１５の単位磁気層１３にヘッド１５０を隣接させて第１信号４０を抽出することができる。また、ディスク１１の第２領域１６の単位磁気層１３にヘッド１５０を隣接させて第２信号５０を抽出することができる。抽出された第１信号４０と第２信号５０は、相異なる周期、すなわち、相異なる周波数を有しうる。例えば、ディスク１１の第１領域１５では、それぞれの単位磁気層１３に形成された第１磁化方向１４と第２磁化方向１７とによってハイ（ｈｉｇｈ）またはロー（ｌｏｗ）レベルを有する第１周期Ｔ１の第１信号４０が抽出されることができる。
【００３０】
また、ディスク１１の第２領域１６では、それぞれの単位磁気層１３ごとにハイまたはローレベルを有する第２周期Ｔ２の第２信号５０が抽出されることができる。すなわち、第１領域１５から抽出される第１信号４０は、第２領域１６から抽出される第２信号５０より高い周波数を有する信号、例えば、短い周期の信号として抽出されることができる。第１信号４０の第１周期Ｔ１は、第２信号５０の第２周期Ｔ２の１／Ｍ（ここで、Ｍは、自然数）倍に抽出されることができる。
【００３１】
一方、前述したように、ディスク１１の第１領域１５は、無信号区間であり、第２領域１６は、サーボトラック情報が記録された区間であり得る。また、ノイズは、第１領域１５から抽出された第１信号４０に影響を及ぼすことができる。これにより、ディスク１１の磁気層１２から抽出された第１信号４０と第２信号５０とをフィルタリングして、ノイズが除去された正常な信号を抽出することができる。例えば、ノイズの影響を受ける第１信号４０をフィルタリングすることができる。すなわち、第１信号４０と第２信号５０との周波数が異なるために、第２信号５０のみを抽出することができる帯域フィルター、例えば、帯域通過フィルターまたは帯域遮断フィルターなどを第１信号４０で除去することができる。
【００３２】
以下で、前述した保存装置のサーボトラック形成方法を使って製造されたデータ保存装置及びこれを含むデータ保存システムについて説明する。
【００３３】
図７は、図１ないし図６を通じて形成されたデータ保存装置の概略的なブロック図である。本実施形態では、説明の便宜上、前述した図１ないし図６がともに参照されて説明される。本実施形態のデータ保存装置２００は、電磁的または磁気的にデータを保存することができ、容量対比生産コストの低いハードディスクドライブ（ＨＤＤ）のようなデータ保存装置として具現可能である。また、本実施形態のデータ保存装置２００は、ソリッドステートドライブ（ＳＳＤ）のような不揮発性メモリデバイス（ｎｏｎ−ｖｏｌａｔｉｌｅ  ｍｅｍｏｒｙ  ｄｅｖｉｃｅ）としても具現可能である。
【００３４】
図７を参照すれば、データ保存装置２００は、保存部１００、ヘッド１５０、コントローラ１７０及びフィルター１６０を含みうる。保存部１００は、前記図１ないし図５を参照して説明したサーボトラックを含みうる。例えば、保存部１００は、少なくとも一つのディスク１１に形成され、各ディスク１１には、データ保存領域とサーボトラック領域とを含みうる。ここで、ディスク１１のサーボトラック領域には、前述したように、多数の単位磁気層１３を含む磁気層１２が形成され、それぞれの単位磁気層１３は、第１磁化方向１４または第２磁化方向１７に形成される。
【００３５】
ヘッド１５０は、前記図５を参照して説明したように、保存部１００の磁気層１２に隣接して信号を抽出することができる。コントローラ１７０は、ヘッド１５０と保存部１００との動作を制御することができる。例えば、コントローラ１７０は、保存部１００のディスク１１が所定の速度で回転するように制御することができる。引き続き、ヘッド１５０を保存部１００のディスク１１に隣接するように移動させ、ディスク１１からヘッド１５０を通じて所定の信号を抽出することができる。
【００３６】
フィルター１６０は、ヘッド１５０を通じて抽出された信号をフィルタリングしてコントローラ１７０に提供することができる。例えば、前記図１及び図６を参照して説明したように、フィルター１６０は、ヘッド１５０がディスク１１から抽出した第１信号４０及び第２信号５０のうち、ノイズの影響を受ける第１信号４０をフィルタリングして除去することができる。
【００３７】
図８は、図７に示されたデータ保存装置を含むデータ保存システムの概略的なブロック図である。本実施形態のデータ保存システム３００は、コンピュータシステム、端末装置システム、入出力装置システムであり得る。また、データ保存システム３００は、本発明の実施形態によるデータ保存装置２００を含む任意のＣＥ（ｃｏｎｓｕｍｅｒ  ｅｑｕｉｐｍｅｎｔ）をすべて含み、例えば、ＣＥは、ＨＤＤレコーダー（ｒｅｃｏｒｄｅｒ）、携帯電話（ｃｅｌｌｕｌａｒ  ｐｈｏｎｅ）とＰＤＡなどの個人端末機（ｔｅｒｍｉｎａｌ）、コンピュータ（ＰＣ、ラップトップＰＣ、ノート型パソコンなど）、ナビゲーターデバイス（ｎａｖｉｇａｔｏｒ  ｄｅｖｉｃｅ）、ホームオートメーションシステム（ｈｏｍｅ  ａｕｔｏｍａｔｉｏｎ  ｓｙｓｔｅｍ）、音楽再生器（ｍｐ３プレーヤーなど）、カムコーダ、映像再生器（ＤＶＩＸプレーヤーなど）、ストレージサーバ（ｓｔｏｒａｇｅ  ｓｅｖｅｒ）またはＰＭＰ（Ｐｏｔａｂｌｅ  Ｍｕｌｔｉｍｅｄｉａ  Ｐｌａｙｅｒ）などを例示することができる。また、本明細書では、説明の便宜上、データ保存システム３００の一例として、コンピュータシステムを例として説明する。
【００３８】
図８を参照すれば、データ保存システム３００の一種であるコンピュータシステムは、バス２７０、中央情報処理装置（ＣＰＵ）２５０、保存装置２００及びインターフェース（Ｉ／Ｆ）２６０を含みうる。また、図面に示していないが、データ保存システム３００は、バッテリー（図示せず）をさらに含んで携帯を可能にする。
【００３９】
ＣＰＵ２５０は、保存装置２００の動作を制御することができる制御信号を生成することができ、バス２７０を通じて保存装置２００に制御信号を提供することができる。保存装置２００は、前記図７を参照して説明したように、保存部１００、ヘッド１５０、フィルター１６０及びコントローラ１７０を含んで構成され、ＣＰＵ２５０から提供された制御信号によって外部から提供されたデータが保存されるか、または保存されたデータを外部に伝送することができる。インターフェース２６０は、例えば、Ｉ／Ｏインターフェースまたは無線インターフェースであり、ＣＰＵ２５０または保存装置２００が外部と接続することができる通路の役割を行うことができる。
【００４０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００４１】
本発明の方法と装置は、データ保存システムに適用可能である。
【符号の説明】
【００４２】
１０    保存装置
１１    ディスク
１２    磁気層
１５    第１領域
１６    第２領域
２０    ライティング装置
２１    基板
２５    第１磁気パターン領域
２６    第２磁気パターン領域
【図１】
2010040166.tif 000003
【図２】
2010040166.tif 000004
【図３】
2010040166.tif 000005
【図４】
2010040166.tif 000006
【図５】
2010040166.tif 000007
【図６】
2010040166.tif 000008
【図７】
2010040166.tif 000009
【図８】
2010040166.tif 000010